(57)【要約】【課題】表示板を表面側から照明するにあたり、シンプルな構成で照明効率を向上させることが可能な指針式計器を提供する。【解決手段】指針７と、この指針７の指示対象となる指標部６２が設けられた表示板６と、指針７の背後であってその回転中心周囲に配置される光源Ｌ３とを備えており、指針７に光源Ｌ３からの距離が増加するに従って回転中心から離間するように傾斜し光源Ｌ３の光を表示板７の表面に向けて反射する反射面７４を設けたもので、反射面７４としては円錐面が好適である。【選択図】図２
2006177826.tif 000002
【特許請求の範囲】
【請求項１】
指針と、
この指針の指示対象となる指標部が設けられた表示板と、
前記指針の背後であってその回転中心周囲に配置される光源とを備え、
前記指針に前記光源からの距離が増加するに従って回転中心から離間するように傾斜し前記光源の光を前記表示板の表面に向けて反射する反射面を設けたことを特徴とする指針式計器。
【請求項２】
前記反射面の少なくとも一部が円錐面であることを特徴とする請求項１記載の指針式計器。
【請求項３】
前記表示板に前記反射面に対応する傾斜面を設けたことを特徴とする請求項１記載の指針式計器。
【請求項４】
前記指針の回転中心周囲に、前記指針の指示部を照明する光源と、前記反射面を通じて前記表示板を照明する他の光源とを設けたことを特徴とする請求項１記載の指針式計器。
【請求項５】
前記第２の光源が複数色発光可能であることを特徴とする請求項４記載の指針式計器。
【請求項６】
少なくとも前記反射面を含む前記指針の回転中心領域前方側を覆う遮蔽部材を設けたことを特徴とする請求項１記載の指針式計器。
【請求項７】
前記遮蔽部材内に電子式表示器が組み込まれることを特徴とする請求項６記載の指針式計器。
【発明の詳細な説明】
【技術分野】
【０００１】
本発明は、例えば自動車のダッシュボードに搭載される指針式計器に関するもので、特に照明構造の改良に係わるものである。
【背景技術】
【０００２】
この種の指針式計器にあっては、例えば下記特許文献１に記載されているように、指針に遮光性円板部材を設け、この遮光性円板部材と表示板との間で光が相互反射しながら遮光性円板部材の外周に漏光するように構成し、遮光性円板部材の周囲に位置する表示板の表面を照明するものや、下記特許文献２に記載されているように、表示板を中央板部と外周板部とに２分割形成し、中央板部の背面に導光板を配置し、外周板部を中央板部に対して傾斜させて導光体の外周端部に対向配置し、導光板を介して導いた光をその外周端部から出射させて外周板部の表面を照明するものが知られている。
【特許文献１】特開２００１−２９６１５０号公報
【特許文献２】特開２００２−２７７２８８号公報
【発明の開示】
【発明が解決しようとする課題】
【０００３】
しかしながら前記特許文献１記載の指針式計器は、指針の一部を活用して表示板を表面から照明することはできるが、遮光性円板部材が、光源からの距離が増加するに従って回転中心に近づく傾斜面を構成するため、反射効率が悪く、照明が暗くなりやすいという問題がある。また前記特許文献２記載の指針式計器は、外周板部の表面を照明するにあたり表示板を分割形成したり、導光板を必要とするため、構造が複雑になるという問題がある。
そこで本発明は、表示板を表面側から照明するにあたり、シンプルな構成でありながら照明効率を向上させることが可能な指針式計器を提供するものである。
【課題を解決するための手段】
【０００４】
本発明は、前記目的を達成するため、指針と、この指針の指示対象となる指標部が設けられた表示板と、前記指針の背後であってその回転中心周囲に配置される光源とを備え、前記指針に前記光源からの距離が増加するに従って回転中心から離間するように傾斜し前記光源の光を前記表示板の表面に向けて反射する反射面を設けたことを特徴とする。
【０００５】
また本発明は、前記反射面の少なくとも一部が円錐面であることを特徴とする。
【０００６】
また本発明は、前記表示板に前記反射面に対応する傾斜面を設けたことを特徴とする。
【０００７】
また本発明は、前記指針の回転中心周囲に、前記指針の指示部を照明する光源と、前記反射面を通じて前記表示板を照明する他の光源とを設けたことを特徴とする。
【０００８】
また本発明は、前記第２の光源が複数色発光可能であることを特徴とする。
【０００９】
また本発明は、少なくとも前記反射面を含む前記指針の回転中心領域前方側を覆う遮蔽部材を設けたことを特徴とする。
【００１０】
また本発明は、前記遮蔽部材内に電子式表示器が組み込まれることを特徴とする。
【発明の効果】
【００１１】
本発明によれば、初期の目的を達成でき、表示板を表面側から照明するにあたり、シンプルな構成で照明効率を向上させることが可能な指針式計器を提供することができる。
【発明を実施するための最良の形態】
【００１２】
以下、図面に基づいて本発明による指針式計器を車両用計器に適用した場合を例として実施形態を説明する。
【００１３】
図１〜図３は、本発明の第１の実施形態を示すもので、図１は本実施形態による指針式計器の正面図、図２は図１のＡ−Ａ断面図、図３は指針の要部を示す斜視図である。
【００１４】
本実施形態による指針式計器は、図１及び図２に示すように、背面カバー１と、回路基板２と、この回路基板２の背後に本体部が配置され指針軸３が回路基板２を貫通して伸びる駆動装置４と、回路基板２の前方に配置される枠体５と、この枠体５の前方に配置される表示板６と、駆動装置４の指針軸３に連結され表示板６上を回転動作する指針７と、この指針７及び表示板６の前方側に配置されそれらの所要部を覆う遮蔽部材８と、表示板６の背後に配置される表示板用導光体９と、指針７の背後に配置される指針用導光体１０とを備えている。
【００１５】
背面カバー１は、合成樹脂からなり、回路基板２の背面側を覆うものである。
【００１６】
回路基板２は、周知の硬質回路基板からなり、その背面に駆動装置３が実装される他、前面には発光ダイオードからなる複数の光源Ｌ１〜Ｌ３が実装されている。なおこれら光源Ｌ１〜Ｌ３は、表示板６と指針７のそれぞれを照明するものである。
【００１７】
駆動装置４は、例えばステッピングモータからなり、計測量に応じて指針軸３に連結された指針７を回転させる。
【００１８】
枠体５は、例えば白色の合成樹脂からなり、フレーム体としての機能の他、表示板６と指針７とを照明する照明室の機能も有している。
【００１９】
表示板６は、遮光性の地部（例えばシルバー色）６１と光透過性の指標部（例えば白色）６２とを有し、これら地部６１と指標部６２は、母材である透光性基材に設けられた印刷層でなる。
【００２０】
指標部６２は数字部と目盛部とで構成され、黒色の縁取りがなされている。またこの場合、指標部６２は例えば白色光を発する光源Ｌ１によって背後から白色に透過照明され、地部６１は例えば青色光を発する光源（他の光源）Ｌ３によって表面から反射照明されるが、詳細は後述する。
【００２１】
さらに表示板６は指針軸３の延長方向に対して直交する方向に延びる中央部６ａと、この中央部の延長方向に対して所定角度傾斜して延びる傾斜部６ｂとを有しており、この場合、傾斜部（傾斜面）６ｂは、後述する指針７の反射面に対応し、指針軸３の延長方向を基準とした末広がり形状に傾斜している。
【００２２】
指針７は、透光性材料よりなり、指針軸３に装着されると共にその周囲に広がる回転中心部７ａと、この回転中心部７ａから連続して、指針軸３とは直交する方向に延びる指示部７ｂとを備えており、指示部７ｂは、中央に位置する遮蔽部材８から露出する部分が表示板６の傾斜部６ｂに沿って前方側に曲げられている。
【００２３】
回転中心部７ａには、光源Ｌ２及び指針用導光体１０を介して指針７内に導入された光を指示部７ｂの先端側に反射する導光反射部７１と、指針軸３を中心軸としてその周囲を取り巻く円錐形の壁部であって光源Ｌ３からの距離が増加するに従って回転中心から離間するように傾斜した反射壁部７２と、この反射壁部７２の周囲に貼着された例えばシルバー色の反射シートまたはフィルムからなる反射部材７３とが設けられている。
【００２４】
この場合、反射部材７３は円錐形の反射壁部７２に貼着されることにより、その表面が光源Ｌ３を介して受光した光を指針軸３を基準とする放射方向に反射する反射面７４として機能し、このように反射された光は、表示板６の表面を照らし、図１中、点線で示すような発光模様Ｍが現れる。本実施形態の場合、光源Ｌ３の発光色が青、表示板６の地部の色はシルバー色に設定されているため、青色の発光模様Ｍとなる。また発光模様Ｍは、本実施形態の場合、光源Ｌ３の位置（配置間隔）に依存し、光源Ｌ３に近い箇所に対応する表示板６箇所が最も明るい放射模様として視認されるものである。
【００２５】
遮蔽部材８は、例えば黒色の遮光性合成樹脂材料からなり、指針７の回転中心部７ａ及び表示板６の中央部６ａを覆い、指針７の指示部７ｂの先端側を露出させる第１の隠蔽部８ａと、表示板６の外周を覆う第２の隠蔽部８ｂと備えている。
【００２６】
第１の隠蔽部８ａの外周は、指針７の運動経路に沿った円形に形成され、その中央部には、例えば様々な車両情報を表示する液晶パネルからなる電子式表示器１１が組み込まれ、その表示面が第１の隠蔽部８ａの窓部より露出している。
【００２７】
この電子式表示器１１の背後は、遮光性合成樹脂からなる表示器カバー１２によって覆われており、この表示器カバー１２の内部には、電子式表示器１１を照明する図示しないバックライト装置が組み込まれている。
【００２８】
以上の通り、本実施形態では、指針７と、この指針７の指示対象となる指標部６２が設けられた表示板６と、指針７の背後であってその回転中心周囲に配置される光源Ｌ３とを備えており、指針７に光源Ｌ３からの距離が増加するに従って回転中心から離間するように傾斜し光源Ｌ３の光を表示板７の表面に向けて反射する反射面７４を設けたことにより、表示板７を表面側から照明するに際して、シンプルな構成で照明効率を向上させることができる。
【００２９】
すなわち、本実施形態による反射面７４は、光源Ｌ３からの距離が増加するに従って回転中心から離間するように傾斜する構造であるため、指針軸３に対して平行方向から反射面に到達する光を指針軸３を中心とした放射方向に効率良く反射することができる。また本実施形態による表示板７表面の照明構造は、例えば表示板６を分割したり、導光板を採用する必要がないので、構成をシンプルにすることができる。なお本実施形態では、反射面７４を透光性材料よりなる指針７の母材に設けたが、指針７の構成要素であれば、あらゆる部品を利用して設けることができる。
【００３０】
また本実施形態では、反射面７４を円錐面としたことにより、光源Ｌ３からの光を効率よく放射方向に反射することができる。なおこのような円錐面は、反射面７４の少なくとも一部に採用されていればよい。
【００３１】
また本実施形態では、表示板６に反射面７４に対応する傾斜部（傾斜面）６ｂを設けたことにより、表示板６の反射効率を向上させることができる。
【００３２】
また本実施形態では、指針７の回転中心周囲に、指針７の指示部７ｂを照明する光源Ｌ２と、反射面７４を通じて表示板６を照明する光源（他の光源）Ｌ３とを設けたものであり、このように反射面７４を通じて表示板６を照明する専用の光源Ｌ３を設けたことによっても照明効率を向上させることができる。
【００３３】
なお本実施形態では、光源Ｌ３が単一色（青）で発光する例を示したが、光源Ｌ３として複数色発光可能な光源を採用し、例えば車両の状態や利用者（乗員）の選択に応じて光源Ｌ３の発光色を変化または切り替えてもよい。このように構成することで、光源Ｌ３の発光色変化、すなわち発光模様Ｍの色変化が可能となり、この色変化によって例えば車両の状態を警報または報知したり、発光模様Ｍの色を利用者の好みに応じたものとすることができる。
【００３４】
また本実施形態では、少なくとも反射面７４を含む指針７の回転中心領域前方側を覆う遮蔽部材８（第１の隠蔽部８ａ）を設けたことにより、必要領域を隠蔽し見栄えを向上させることができる。なおこのような遮蔽部材８は、指針７に設けることもできる。
【００３５】
また本実施形態では、遮蔽部材８（第１の隠蔽部８ａ）内に電子式表示器１１を組み込んだことにより、隠蔽領域（デッドスペース）を表示スペースとして活用でき、スペース効率を向上させることができる他、指針７の運動経路の中央に電子式表示器１１を配置することで視認性を向上させることができる。
【００３６】
図４は本発明の第２の実施形態として反射面の変形例を示す要部断面図で、反射壁７２を水平方向（指針軸３の延長方向に対して直交する方向）に切断し、上方（利用者側）から見たときの断面図である。
【００３７】
本実施形態の反射壁７２は円錐形の遮光性部品からなり、その外壁面によって反射面７４が形成されている。この場合、反射壁７２の外壁面には、一定間隔をおいて複数の溝（Ｖ字溝）が形成されており、光源Ｌ３からの光を反射すると、筋状の発光模様Ｍを形成し、さらに指針７が回転運動することにより、筋状の発光模様Ｍも連動して回転する。
【００３８】
以上のごとく形成される本実施形態によっても前記第１の実施形態と同様の作用効果を期待できる他、指針７が回転に同期して、筋状の発光模様Ｍも連動して回転するため、発光模様Ｍが揺らぐように見え、斬新性や面白みを向上させることができる。
【００３９】
図５も本発明の第３の実施形態として反射面の変形例を示す要部断面図で、図４同様、反射壁７２を水平方向に切断し、上方から見たときの断面図である。
【００４０】
本実施形態の反射壁７２も基本的には、図４と同様であるが、複数の溝（Ｖ字溝）が連続して形成され、光源Ｌ３からの光を反射すると、図４の場合よりもさらに細かいピッチの筋状の発光模様Ｍが形成される。
【００４１】
以上のごとく形成される本実施形態によっても前記第２の実施形態と同様の作用効果を期待できる。
【００４２】
なお反射面７４は、光源Ｌ３からの距離が増加するに従って回転中心から離間するように傾斜する反射面であれば、形状、材質、材料、色は任意であり、得るべき発光模様Ｍに応じて選定すればよい。
【図面の簡単な説明】
【００４３】
【図１】本発明の第１の実施形態を示す正面図。
【図２】図１のＡ−Ａ断面図。
【図３】同実施形態に適用される指針の要部を示す斜視図。
【図４】本発明の第１の実施形態による指針の要部断面図。
【図５】本実施の第１の実施形態による指針の要部断面図。
【符号の説明】
【００４４】
１  背面カバー
２  回路基板
３  指針軸
４  駆動装置
５  枠体
６  表示板
６ａ  中央部
６ｂ  傾斜部
７  指針
７ａ  回転中心部
７ｂ  指示部
８  遮蔽部材
８ａ  第１の隠蔽部
８ｂ  第２の隠蔽部
９  表示板用導光体
１０  指針用導光体
１１  電子式表示器
１２  表示器カバー
６１  地部
６２  指標部
７１  導光反射部
７２  反射壁部
７３  反射部材
７４  反射面
Ｌ１〜Ｌ３  光源
Ｍ  発光模様
【図１】
2006177826.tif 000003
【図２】
2006177826.tif 000004
【図３】
2006177826.tif 000005
【図４】
2006177826.tif 000006
【図５】
2006177826.tif 000007